(57)【特許請求の範囲】
【請求項１】
複数の枕袋に備前焼粒をそれぞれ充填してほぼ身体の足部または頭部の大きさの枕部材をそれぞれ形成し、これら枕部材を隣接する一端部にて連結部材を介して分離自在に連結するとともに折り重ね自在に形成し、折り重ねたとき向き合う枕袋外面には防災用小物、貴重品または足先を入れるポケットを設けてなることを特徴とする枕。
【請求項２】
請求項１に記載の枕において、枕部材はほぼ履物の大きさとするとともにその長さほぼ半分以下にポケットを形成し、該ポケットの向きを互いに逆向きにして連結してなることを特徴とする枕。
【請求項３】
請求項１または２に記載の枕において、一対の枕部材のいずれかに連結部材を介して補助枕部材を分離自在に連結してなることを特徴とする枕。
【請求項４】
請求項３に記載の枕において、補助枕部材は頭巾であることを特徴とする枕。
【請求項５】
請求項１または２に記載の枕において、一対の枕部材に枕カバーを設けてなることを特徴とする枕。
【請求項６】
請求項５に記載の枕において、枕カバーは頭巾であることを特徴とする枕。
【発明の詳細な説明】
【０００１】
【発明の属する技術分野】
本発明は、健康増進だけでなく防災用としても効果のある枕に関するものである。
【０００２】
【従来の技術】
昔から健康法の一つとして頭寒足熱とも言われ、睡眠中には頭部の蓄熱を発散させることが安眠と健康増進のために良いと言われている。
【０００３】
ところが、従来、和式用枕は、円筒形の枕袋の内部にもみがら、そばがら、小豆等を封入してつくられている。また、洋式用枕は、比較的大形の長方形の枕袋の内部にパンヤ、羽毛、絹綿等を封入してつくられている。
【０００４】
そのため、単に一つの袋体からなる従来の枕は、使用中の頭の重さによって変形してしまい、高さが変わるだけでなく、頭と枕がなじんで枕との接触面積が増して頭を周囲から圧迫することになり、快適な睡眠を妨げるという欠点があった。
【０００５】
そこで、従来の枕の中には、大きさを同じくするものその高さ（厚さ）をそれぞれ異にした３つの枕袋をその一端にて連結し、３つの枕袋を任意に組み合わせて高さを調整可能にするとともに、この各枕袋内に異なる材質の充填材を充填してなるものがある（特開平２−１９３６０９号公報参照）。
【０００６】
【発明が解決しようとする課題】
しかしながら、特開平２−１９３６０９号公報に開示された枕は、上述したそばがら、パンヤ等の充填材を充填するので、未だ枕の機能が十分に発揮されていない問題があった。
【０００７】
一方、近年、地震や火災等の災害に備えて防災頭巾、緊急用電灯、緊急用ラジオ、貴重品等を枕に取り付け、就寝時に身の回りに常備されるようになってきている（特開平９−２８５３６号公報、特開平２−２２４６２１号公報参照）。
しかしながら、地震や火災等の災害時には一般に何人も冷静な判断ができないこともあって慌てて裸足で屋外に飛び出してしまうことがある。そのため、足を怪我したり、歩行が困難となったりする問題があった。
【０００８】
そこで、本発明は、上述のような問題点や実情を考慮して創造されたもので、枕の機能に優れ、且つ就寝時に身の回りに常備して災害時に身の安全および財産の安全を確保できるとともに履物としても使用できるようにした枕を提供することにある。
【０００９】
【課題を解決するための手段】
かかる課題を解決するため、本発明に係る枕は、次のような手段を採用する。
【００１０】
すなわち、請求項１に記載の枕は、たとえば以下の図示実施の形態に示すように、複数の枕袋４、７に備前焼粒６をそれぞれ充填してほぼ身体の足部または頭部の大きさの枕部材２、３をそれぞれ形成し、これら枕部材２、３を隣接する一端部にて連結部材１０を介して分離自在に連結するとともに折り重ね自在に形成し、折り重ねたとき向き合う枕袋４、７外面には防災用小物、貴重品または足先を入れるポケット５、８を設けてなることを特徴とする。
【００１１】
そして、請求項１に記載の枕では、一対の枕部材２、３を折り重ねて使用する。その使用時、備前焼粒６により生体を活性化する効果が発揮され、快適な睡眠が得られる。
また、ポケット５、８には各種のキー、ホイッスル、小型懐中電灯、ライター等の防災用小物、預金通帳や印鑑等の貴重品を入れて常備する。そして、災害時には枕１を持ち出すことにより財産の安全を確保するとともに防災用小物を使用して身の安全を確保する。
さらに、災害時には、連結部材１０を開いて枕部材２、３を分離し、各枕部材２、３のポケット５、８に足先を入れて履物として使用する。
【００１２】
請求項２に記載の発明は、たとえば以下の図示実施の形態に示すように、請求項１記載の枕において、枕部材２、３はほぼ履物の大きさとするとともにその長さほぼ半分以下にポケット５、８を形成し、該ポケット５、８の向きを互いに逆向きにして連結してなることを特徴とする。
【００１３】
そして、請求項２に記載の枕では、履物として使用するとき、装着感がよく、歩行がしやすい。
また、一対の枕部材２、３を二つ折りして重ねたときポケット５、８が重ならず、枕１の長さ方向左右にポケット５、８が並ぶ。しかして、防災用小物や貴重品を双方のポケット５、８にバランスよく入れることができ、防災用小物や貴重品のために枕１の上面が一部だけ高く突出して枕１の使用感が悪くなることを防止できる。
【００１４】
請求項３に記載の発明は、たとえば以下の図示実施の形態に示すように、請求項１または２に記載の枕において、一対の枕部材２、３のいずれかに連結部材を介して補助枕部材１８を分離自在に連結してなることを特徴とする。
【００１５】
そして、請求項３に記載の枕では、たとえば就寝するとき、補助枕部材１８を用いて枕１の高さを調整する。
【００１６】
請求項４に記載の発明は、たとえば以下の図示実施の形態に示すように、請求項３に記載の枕において、補助枕部材１８が頭巾であることを特徴とする。
【００１７】
そして、請求項４に記載の枕では、災害時に、補助枕部材１８を分離して頭巾として使用する。
【００１８】
請求項５に記載の発明は、たとえば以下の図示実施の形態に示すように、請求項１または２に記載の枕において、一対の枕部材２、３に枕カバー２０を付設してなることを特徴とする。
【００１９】
請求項６に記載の発明は、たとえば以下の図示実施の形態に示すように、請求項５に記載の枕において、枕カバー２０が頭巾であることを特徴とする枕。
【００２０】
そして、請求項６に記載の枕では、災害時に、枕カバー２０を外して頭巾として使用する。
【００２１】
【発明の実施の形態】
以下、本発明に係る枕を図面に基いて詳細に説明する。図１〜図６は、本発明に係る枕の一実施の形態を示すものである。
【００２２】
図中符号１は、枕である。この枕１は、一対の枕部材２、３を備える。
【００２３】
一方の枕部材２は、たとえば綿付布や繊維布や不織布等を使用して枕袋４となし、当該枕袋４の大きさをたとえばスリッパ等の履物の大きさより少し大きい縦長形状に形成してなり、たとえば枕袋４の長さを３０〜３５ｃｍ、巾を２０ｃｍ位としてなる。また、枕袋４の一側外面には、略長さ半分の範囲を占めてポケット５を設けてなる。ポケット５は、枕袋４の周縁に沿って閉じられ、長さ方向中間部あたりで開口５ａしている。なお、ポケット５は図示しないファスナー等により開口５ａを開閉自在の構成とすることもできる。
【００２４】
そして、上記枕袋４に備前焼粒６を充填して枕部材２を密封形成してなる。枕部材２はポケット５のある面と反対面の長手稜２ａ、２ｂの部分を大きなＲ形状とすることが望ましい。
【００２５】
他方の枕部材３は、上記した一方の枕部材２と同一の構成・作用を奏するものである。図中符号７は他方の枕部材３の枕袋、３ａ、３ｂは大きなＲ形状の長手稜、６は備前焼粒、８はポケットである。
【００２６】
そして、これら一対の枕部材２、３は、ポケット５、８のある面を上向きとして該ポケット５、８の向きを互いに逆向きにして配置されるとともに、隣接する一端部にてファスナー１０を用いて分離自在に連結されている。
【００２７】
しかして、就寝時には、一対の枕部材２、３をポケット５、８が内側となるように二つ折りにして重ねて枕１とする。枕１として使用するとき、ポケット５、８は重ならず、枕１の長さ方向左右に並んで配置される。このポケット５、８には、たとえば玄関や自動車等の各種キー、ホイッスル、小型懐中電灯、携帯用小型ラジオ、ライター等の防災用小物１２を入れるとともに、印鑑、預金通帳等の貴重品１３を入れて就寝時に身の回りに常備する。ポケット５、８が重ならないので、防災用小物１２や貴重品１３をポケット５、８にバランスよく入れることができ、これ故に枕１の上面を略平坦に維持することができ、防災用小物１２や貴重品１３のために枕１の上面が一部だけ突出して枕１の使用感が悪くなることを防止することができる。
【００２８】
地震や火災等の災害時には、慌てることなく上記枕１を持って避難すればよく、財産の安全を確保することができる。また、避難するとき、迅速簡単に防災用小物１２を取り出して使用することができるので、身の安全を確保することができる。さらに、必要によりファスナー１０を開いて一対の枕部材２、３を分離し、図６に示すように、ポケット５、８に足先１５を入れて履物として使用できるので、慌てて裸足で外に飛び出したときに足を保護することができ、より一層身の安全を確保することができる。この場合、枕部材２、３の大きさを履物の大きさと略同じくらいとしたので、装着感がよく、歩行がしやすい。
【００２９】
ところで、備前焼の徳利に入れた酒の味がまろやかになること、あるいは備前焼の花瓶に生けた花の寿命が長くなることなどは、長年の経験則とされている。これらの効果は、近年とみに脚光を浴びている遠赤外線放射セラミックスの効果として挙げられているものと一致する。
【００３０】
そこで、備前焼の遠赤外線分光放射率を実測したところ、図７および図８の結果が得られた。
【００３１】
すなわち、図７および図８は、縦軸に放射率（％）をとり、
横軸に波数（ｃｍ-1）および波長（μｍ）をとって備前焼の遠赤外線分光放射率曲線を表すグラフである。ここにおいて、測定時の温度Ｔｒは、常温および酒燗温度に近い２種類（４１．５〜４１．６℃および８６．６℃）を選んだ。試料は焼成温度Ｔｆ（１２５０および１２８０℃）の異なる２種類を用いた、ほぼ５×５×０．３ｃｍ2 の平板である。
【００３２】
図７は、Ａ線がＴｒ＝４１．６℃［Ｔｆ＝１２５０℃］に対応する曲線を示し、Ｂ線がＴｒ＝４１．５℃［Ｔｆ＝１２８０℃］に対応する曲線を示す。
図８は、Ａ線がＴｒ＝８６．６℃［Ｔｆ＝１２５０℃］に対応する曲線を示し、Ｂ線がＴｒ＝８６．６℃［Ｔｆ＝１２８０℃］に対応する曲線を示す。
しかして、図７および図８から明らかなように、備前焼は全般に放射率が大きく、遠赤外線放射セラミックスとして発表されている材料の値に比べて遜色のないものである。
【００３３】
従って、本発明の枕では、備前焼粒を充填しているので、遠赤外線の効果により、すなわち人体のもつ電磁波と共振共鳴振動から、血液の流れや細胞の働きを活性化する効果が発揮され、安眠を一層促すことができる。
【００３４】
なお、上述した一実施の形態では、枕部材２、３の大きさをスリッパその他の履物の大きさより少し大きい縦長形状に形成した。しかし、この発明では、このような大きさに限定するものでなく、図示しないが、枕部材２、３はほぼ身体の足部や頭部の大きさとしてもよいし、その他任意の大きさに変更することができる。
【００３５】
また、上述した一実施の形態では、一対の枕部材２、３をファスナー１０で分離自在に連結した。しかし、この発明では、ファスナー１０で分離自在に連結することに限るものでなく、図示しないが、一対の枕部材を分離自在とするたとえばホックやフックやオープンファスナー、その他の連結部材で連結する構成とすることもできる。
【００３６】
さらに、上述した一実施の形態では、ポケット５、８の向きを互いに逆向きにして枕部材２、３を連結した。しかし、この発明は、かかる構成に限るものでなく、図示しないが、ポケット５、８の向きを同じくして枕部材２、３を連結する構成とすることもてきる。
【００３７】
さらにまた、この発明では、図９に示す他の実施形態とすることもできる。この実施形態では、枕部材２の他端部に取り外し可能な図示しないファスナー（オープンファスナー）を介して補助枕部材１８を連結してなることを特徴とする。この補助枕部材１８として頭巾を用いた。図中符号１９は頭巾の取付紐である。
【００３８】
この実施形態によれば、災害時に補助枕部材１８を分離して頭巾として使用できるので、頭部も保護することができて防災効果の大きい枕である。
【００３９】
さらに、この発明では、図１０に示す他の実施形態とすることもできる。この実施形態では、一対の枕部材２、３に枕カバー２０を付設してなることを特徴とする。ここにおいて枕カバー２０は頭巾形状をなし、内部に一対の枕部材２、３を収納してなる。図中符号２１は頭巾の取付紐である。
【００４０】
この実施形態によれば、災害時に枕カバー２０を外して頭巾として使用できるので、頭部も保護することができて防災効果の大きい枕である。
【００４１】
【発明の効果】
以上のように本発明に係る枕は、内部に備前焼粒を充填してなるので、遠赤外線の効果により、すなわち人体のもつ電磁波と共振共鳴振動から、血液の流れや細胞の働きを活性化する効果が発揮され、安眠を一層促すことができる。
また、頭部および頸部に対して適度の通気性が得られ、その結果、頭部および頸部が適度に冷やされので、快適な睡眠が得られる。
さらに、防災用小物や貴重品を身の回りに常備するので、地震や火災などの災害時にも慌てることなく財産の安全を確保することができるとともに迅速簡単に防災用小物を取り出して使用でき、身の安全を確保することができる。
さらにまた、必要により枕部材のポケットに足先を入れて履物として使用できるので、災害時に慌てて裸足で外に飛び出したときにも足を保護することができ、より一層身の安全を確保することができる。
【００４２】
請求項２に記載の枕によれば、枕部材の大きさをほぼ履物の大きさとしたので、足への装着感が良く、歩行がしやすくなる。
また、枕部材と枕部材の間に防災用小物や貴重品をバランスよく配置することができ、防災用小物や貴重品によって枕の高さが一部だけ突出して枕の使用感が悪くなることを防止することができる。
【００４３】
請求項３に記載の枕によれば、たとえば就寝するとき、補助枕部材を用いて枕の高さを調整することができ、枕を使いやすくすることができる。
【００４４】
請求項４に記載の枕によれば、災害時に、補助枕部材を分離して頭巾として使用できるので、防災効果の大きい枕とすることができる。
【００４５】
請求項６に記載の枕によれば、災害時に、枕カバーを外して頭巾として使用できるので、防災効果の大きい枕とすることができる。
【図面の簡単な説明】
【図１】本発明に係る枕の一実施の形態で、枕を開いた状態の平面図である。
【図２】図１中のＡ−Ａ線の断面図である。
【図３】図１中のＢ−Ｂ線の断面図である。
【図４】枕部材を重ねた状態の枕の斜視図である。
【図５】枕部材を分離して履物として使用した状態を示す斜視図である。
【図６】図５中のＣ−Ｃ線の断面図である。
【図７】備前焼の遠赤外線分光放射率曲線を表すグラフである。
【図８】備前焼の他の試料の遠赤外線分光放射率曲線を表すグラフである。
【図９】本発明に係る枕の他の実施形態を示す斜視図である。
【図１０】本発明に係る枕のさらに他の実施形態を示す斜視図である。
【符号の説明】
１                枕
２、３            枕部材
４、７            枕袋
５、８            ポケット
１０              ファスナー（連結部材）
１８              補助枕部材
２０              枕カバー
【図１】
0003899175.tif 000002
【図２】
0003899175.tif 000003
【図３】
0003899175.tif 000004
【図４】
0003899175.tif 000005
【図５】
0003899175.tif 000006
【図６】
0003899175.tif 000007
【図７】
0003899175.tif 000008
【図８】
0003899175.tif 000009
【図９】
0003899175.tif 000010
【図１０】
0003899175.tif 000011